(57)【要約】【課題】障害が発生した運用系伝送路から、予備系伝送路への通信の切り替え時間を迅速に行うことができる通信システムを提供する。【解決手段】始点伝送装置１が、終点伝送装置２までの予備系伝送経路を決定し、予備系伝送経路上の各中間伝送装置Ａ〜Ｄに対して予備系伝送経路であることを通知するパスメッセージであって、通常運用系の伝送経路に障害が発生した際に、予備系伝送路を用いて予備系伝送路上の各中間伝送装置Ａ〜Ｄが通信を行うに必要なパス登録情報を、当該中間伝送装置Ａ〜Ｄそれぞれに通知するパスメッセージを送信する。そして、各中間伝送装置Ａ〜Ｄおよび終点伝送装置２が、パスメッセージの受信に基づいて、自装置が予備系伝送経路上の伝送装置として予約されたことを示す予約情報を自装置内に登録し、また、パスメッセージの受信に基づいて、パス登録情報を自装置内に登録する。【選択図】図１
2011015332.tif 000002
【特許請求の範囲】
【請求項１】
始点伝送装置と終点伝送装置と、前記始点伝送装置と前記終点伝送装置との伝送経路上に接続された複数の中間伝送装置とにより構成された通信システムであって、
前記始点伝送装置が、
前記終点伝送装置までの予備系伝送経路を決定する予備系伝送経路決定手段と、
前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信するパスメッセージ送信手段と、を備え、
前記中間伝送装置が、
前記パスメッセージの受信に基づいて、予備系情報記憶手段に自装置が予備系伝送経路上の中間伝送装置として予約されたことを示す予約情報を登録する予約情報登録手段と、
前記パスメッセージの受信に基づいて、パス登録情報記憶手段に前記パス登録情報を登録するパス登録情報登録手段と、を備える
ことを特徴とする通信システム。
【請求項２】
前記始点伝送装置、前記中間伝送装置、前記終点伝送装置のそれぞれは、ＧＭＰＬＳ（Generalized Multi-Protocol Label Switching）の技術を用いて、前記通信の伝送制御を行う
ことを特徴とする請求項１に記載の通信システム。
【請求項３】
始点伝送装置と終点伝送装置と、前記始点伝送装置と前記終点伝送装置との伝送経路上に接続された複数の中間伝送装置とにより構成された通信システムにおける通信方法であって、
前記始点伝送装置の予備系伝送経路決定手段が、前記終点伝送装置までの予備系伝送経路を決定し、
前記始点伝送装置のパスメッセージ送信手段が、前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信し、
前記中間伝送装置の予約情報登録手段が、前記パスメッセージの受信に基づいて、予備系情報記憶手段に自装置が予備系伝送経路上の中間伝送装置として予約されたことを示す予約情報を登録し、
前記中間伝送装置のパス登録情報登録手段が、前記パスメッセージの受信に基づいて、パス登録情報記憶手段に前記パス登録情報を登録する
ことを特徴とする通信方法。
【請求項４】
複数の中間伝送装置を介して接続された終点伝送装置までの予備系伝送経路を決定する予備系伝送経路決定手段と、
前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信するパスメッセージ送信手段と、
を備えることを特徴とする伝送装置。
【請求項５】
伝送装置の処理方法であって、
前記伝送装置の予備系伝送経路決定手段が、複数の中間伝送装置を介して接続された終点伝送装置までの予備系伝送経路を決定し、
前記伝送装置のパスメッセージ送信手段が、前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信する
ことを特徴とする処理方法。
【請求項６】
伝送装置のコンピュータを、
複数の中間伝送装置を介して接続された終点伝送装置までの予備系伝送経路を決定する予備系伝送経路決定手段、
前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信するパスメッセージ送信手段、
として機能させることを特徴とするプログラム。
【発明の詳細な説明】
【技術分野】
【０００１】
本発明は、通信ネットワーク上の始点伝送装置と終点伝送装置との伝送経路上に複数の中間伝送装置を備え、運用系伝送路と予備系伝送路の制御を行う通信システム及び通信方法、伝送装置とその処理方法及びプログラムに関する。
【背景技術】
【０００２】
ＧＭＰＬＳ（Generalized Multi-Protocol Label Switching）ネットワークにおいて、運用系伝送経路の他に、予備系伝送経路を予め設定する技術が存在する。そして、この技術においては、予備系伝送経路を予め設定する際に、ＧＭＰＬＳネットワークにおける始点伝送装置から終点伝送装置までの複数の中間伝送装置のうち、予備伝送経路上に位置する中間伝送装置や終点伝送装置に対して、予備伝送経路に利用する旨の通知を行い、予備伝送経路上の各中間伝送装置は、自装置が予備伝送経路として利用されるという情報を記憶しておく。なお、関連する技術として、通信ネットワークにおいて、予備の伝送経路の帯域確保を行うパス切替装置の技術が特許文献１に開示されている。
【先行技術文献】
【特許文献】
【０００３】
【特許文献１】国際公開第２００４／０７５４９４号パンフレット
【発明の概要】
【発明が解決しようとする課題】
【０００４】
ところで、上述の技術では、通常利用される運用系の伝送経路において障害が発生した場合、その障害を検出した運用系伝送経路上の中間伝送装置が、ＧＭＰＬＳネットワークの始点伝送装置に対して警告メッセージ（Notify message）を通知する。そして、始点伝送装置は、この警告メッセージを受信すると、予め設定した予備系伝送路を利用して通信を行うこととなる。ここで、この予備系伝送路を利用した通信の再開は、予め、予備系伝送路上の各中間伝送装置や終点伝送装置に対して、予備系伝送路に利用する旨の通知をしているため、帯域が予約されており、予備系伝送路を初めから計算する場合に比べて予備系伝送路への通信経路の変更を早く行うことができる。
【０００５】
しかしながら、上述の技術では単に予備系伝送路上の各中間伝送装置や終点伝送装置が予備系伝送路として利用されることを記憶しているだけであるため、その後、予備系伝送路上の中間伝送装置として動作するための情報を、他の伝送装置と送受信しながら取得する動作が必要であるため、この処理のための時間がかかり、予備系伝送路に切り替わる時間が十分に早くなるとはいえない。
【０００６】
そこでこの発明は、障害が発生した運用系伝送路から、予備系伝送路への通信の切り替え時間を迅速に行うことができる通信システム及び通信方法、伝送装置とその処理方法及びプログラムを提供することを目的としている。
【課題を解決するための手段】
【０００７】
上記目的を達成するために、本発明は、始点伝送装置と終点伝送装置と、前記始点伝送装置と前記終点伝送装置との伝送経路上に接続された複数の中間伝送装置とにより構成された通信システムであって、前記始点伝送装置が、前記終点伝送装置までの予備系伝送経路を決定する予備系伝送経路決定手段と、前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信するパスメッセージ送信手段と、を備え、前記中間伝送装置が、前記パスメッセージの受信に基づいて、予備系情報記憶手段に自装置が予備系伝送経路上の中間伝送装置として予約されたことを示す予約情報を登録する予約情報登録手段と、前記パスメッセージの受信に基づいて、パス登録情報記憶手段に前記パス登録情報を登録するパス登録情報登録手段と、を備えることを特徴とする通信システムである。
【０００８】
また本発明は、上述の通信システムにおいて、前記始点伝送装置、前記中間伝送装置、前記終点伝送装置のそれぞれは、ＧＭＰＬＳ（Generalized Multi-Protocol Label Switching）の技術を用いて、前記通信の伝送制御を行うことを特徴とする。
【０００９】
また本発明は、始点伝送装置と終点伝送装置と、前記始点伝送装置と前記終点伝送装置との伝送経路上に接続された複数の中間伝送装置とにより構成された通信システムにおける通信方法であって、前記始点伝送装置の予備系伝送経路決定手段が、前記終点伝送装置までの予備系伝送経路を決定し、前記始点伝送装置のパスメッセージ送信手段が、前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信し、前記中間伝送装置の予約情報登録手段が、前記パスメッセージの受信に基づいて、予備系情報記憶手段に自装置が予備系伝送経路上の中間伝送装置として予約されたことを示す予約情報を登録し、前記中間伝送装置のパス登録情報登録手段が、前記パスメッセージの受信に基づいて、パス登録情報記憶手段に前記パス登録情報を登録することを特徴とする通信方法である。
【００１０】
また本発明は、複数の中間伝送装置を介して接続された終点伝送装置までの予備系伝送経路を決定する予備系伝送経路決定手段と、前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信するパスメッセージ送信手段と、を備えることを特徴とする伝送装置である。
【００１１】
また本発明は、伝送装置の処理方法であって、前記伝送装置の予備系伝送経路決定手段が、複数の中間伝送装置を介して接続された終点伝送装置までの予備系伝送経路を決定し、前記伝送装置のパスメッセージ送信手段が、前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信することを特徴とする処理方法である。
【００１２】
また本発明は、伝送装置のコンピュータを、複数の中間伝送装置を介して接続された終点伝送装置までの予備系伝送経路を決定する予備系伝送経路決定手段、前記予備系伝送経路上の各中間伝送装置に対して予備系伝送経路であることを通知するパスメッセージであって、通常運用系の伝送経路に障害が発生した際に、前記予備系伝送路を用いて前記予備系伝送路上の各中間伝送装置が通信を行うに必要なパス登録情報を、当該中間伝送装置それぞれに通知するパスメッセージを送信するパスメッセージ送信手段、として機能させることを特徴とするプログラムである。
【発明の効果】
【００１３】
本発明によれば、予備系伝送路上の中間伝送装置と終点伝送装置は、予備系伝送路による通信を行うに必要なパス登録情報を予め記憶しており、運用系に障害が発生して、予備系の通信が行われる際にも、ただちにそのパス登録情報を用いて予備系伝送路による通信を行うことができる。これにより、障害が発生した運用系伝送路から、予備系伝送路への通信の切り替え時間を迅速に行うことができる通信システムを提供することができる。
【図面の簡単な説明】
【００１４】
【図１】通信システムの構成を示すブロック図である。
【図２】始点伝送装置における運用系伝送路の設定処理の概要を示す図である。
【図３】始点伝送装置における予備系伝送路の設定処理の概要を示す図である。
【図４】運用系伝送経路上の中間伝送装置と終点伝送装置の処理フローを示す図である。
【図５】予備系伝送経路上の中間伝送装置と終点伝送装置の処理フローを示す図である。
【発明を実施するための形態】
【００１５】
以下、本発明の一実施形態による通信システムを図面を参照して説明する。
図１は同実施形態による通信システムの構成を示すブロック図である。
この図において、符号１はＧＭＰＬＳネットワークにおける始点伝送装置である。そして、始点伝送装置１は、運用系伝送経路や予備系伝送経路の設定制御を行うシグナリング処理部１０、経路計算を行う経路計算部１１、自装置や他の伝送装置の各ポートの帯域の状態（空き、予約、使用中、仮予約）の情報を記憶する帯域管理テーブルの情報を管理する帯域管理テーブル管理部１４、帯域管理テーブル管理部１４に記憶する情報が更新された際に、その情報を他の伝送装置へ通知（広告）するための処理を行う広告処理部１５、ＯＳＰＦ（Open Shortest Path First）機能を利用して帯域管理テーブルの情報を他の伝送装置へ送信するＯＳＰＦ処理部を備えている。
【００１６】
また、シグナリング処理部１０は、予備系伝送路の設定の処理を行う予備系処理部１２と、通常利用する運用系伝送路の設定の処理を行う運用系処理部１３とを備え、予備系処理部１２は、更に、予備系伝送経路で利用するポートの帯域仮予約の処理を行う帯域仮予約処理部１２１と、予備系伝送路として利用される中間伝送装置や終点伝送装置２に対して予備経路であることを通知するためのパスメッセージを生成する予備系パスメッセージ生成部１２２とを備えている。また、運用系処理部１３は、更に、運用系伝送経路で利用するポートの帯域予約の処理を行う帯域予約処理部１３１と、帯域確定処理を行う帯域確定処理部１３２と、運用系伝送路として利用される中間伝送装置や終点伝送装置２に対して通常利用する運用経路であることを通知するためのパスメッセージを生成する運用系パスメッセージ生成部１３３とを備えている。
【００１７】
そして、図１で示すように始点伝送装置１は、通信ネットワークを介して終点伝送装置２と通信接続されており、さらに、その始点伝送装置１と終点伝送装置２の間の通信ネットワーク上には複数の中間伝送装置Ａ〜Ｄが接続されている。本実施形態においては、始点伝送装置１→中間伝送装置Ａ→中間伝送装置Ｂ→終点伝送装置２の経路を、通常の通信に利用される運用系伝送路と設定し、始点伝送装置１→中間伝送装置Ｃ→中間伝送装置Ｄ→終点伝送装置２の経路を予備として利用される予備系伝送路と設定する場合の例について説明する。なお、始点伝送装置１は運用系伝送路と予備系伝送路で異なる出力ポートを用いて通信を送信する。また終点伝送装置１は運用系伝送路と予備系伝送路で異なる入力ポートを用いて通信を受信する。中間伝送装置Ａ〜Ｄのそれぞれは通信の入力ポートと出力ポートをそれぞれ備えているものとする。
【００１８】
本実施形態の通信システムは、図１のような構成を有しており、始点伝送装置１が、終点伝送装置２までの予備系伝送経路を決定し、予備系伝送経路上の各中間伝送装置Ａ〜Ｄや終点伝送装置２に対して予備系伝送経路であることを通知するパスメッセージであって、通常運用系の伝送経路に障害が発生した際に、予備系伝送路を用いて予備系伝送路上の各中間伝送装置Ａ〜Ｄや終点伝送装置２が通信を行うに必要なパス登録情報を、当該中間伝送装置Ａ〜Ｄや終点伝送装置２にそれぞれに通知するパスメッセージを送信する。そして、各中間伝送装置Ａ〜Ｄおよび終点伝送装置２が、パスメッセージの受信に基づいて、自装置が予備系伝送経路上の伝送装置として予約されたことを示す予約情報を自装置内に登録し、また、パスメッセージの受信に基づいて、パス登録情報を自装置内に登録する。
これにより、障害が発生した運用系伝送路から、予備系伝送路への通信の切り替え時間を迅速に行うことができる通信システムを提供する。
なお、パス登録情報は、予備系伝送路を認識する為の情報である。各予備系伝送路上に設定された伝送装置は、他の異なるパスの設定要求を示す情報を受信した場合には、予め記憶するパス登録情報を破棄する事により、予備系伝送路として予約したパス以外のパスの伝送路上の伝送装置となることも可能である。
【００１９】
図２は始点伝送装置における運用系伝送路の設定処理の概要を示す図である。
図３は始点伝送装置における予備系伝送路の設定処理の概要を示す図である。
次に、図２及び図３を用いて伝送路設定処理のフローについて説明する。
図２に示すように運用系伝送路の設定処理では、まず、始点伝送装置１のシグナリング処理部１０が伝送路設定処理であるシグナリングの開始要求を検出し（ステップＳ１０１）、終点伝送装置までの運用系伝送路の経路計算依頼を経路計算部１１に行う（ステップＳ１０２）。そして経路計算部１１は経路計算結果をシグナリング処理部１０に送信する（ステップＳ１０３）。すると、シグナリング処理部１０の帯域予約処理部１３１は、運用系伝送路の経路計算結果に基づいて、運用系伝送路に使用するポートの情報を「空き」から「予約」へと変更登録するための情報更新依頼を帯域管理テーブル管理部１４に行い（ステップＳ１０４）、これにより、帯域管理テーブル管理部１４は帯域管理テーブルに、運用系伝送路に使用するポートに対応する情報として「予約」を登録する。また帯域管理テーブル管理部１５は帯域管理テーブルに対する情報更新をシグナリング処理部１０へ通知すると（ステップＳ１０５）、当該シグナリング処理部１０の運用系パスメッセージ生成部１３３がパスメッセージを生成し、運用系伝送路の各中間伝送装置Ａ,Ｂや終点伝送装置２へ送信する（ステップＳ１０６）。
【００２０】
そして、始点伝送装置１のシグナリング処理部１０は、パスメッセージの送信の応答として終点伝送装置２が生成し、当該終点伝送装置２が運用系伝送路上の各中間伝送装置を介して送信したリザーブメッセージを受信する（ステップＳ１０７）。するとシグナリング処理部１０の帯域確定処理部１３２は、そのリザーブメッセージの受信に基づいて、運用系伝送路に使用するポートの情報を「予約」から「使用中」へと変更登録するための情報更新依頼を帯域管理テーブル管理部１４に行い（ステップＳ１０８）、これにより、帯域管理テーブル管理部１４は帯域管理テーブルに、運用系伝送路に使用するポートに対応する情報として「使用中」を登録する。また帯域管理テーブル記憶部１５における情報更新をシグナリング処理部１０へ通知する（ステップＳ１０９）と、広告処理部１５に対して帯域管理テーブルの記憶する情報の広告処理を要求し（ステップＳ１１０）、これにより広告処理部１５がＯＳＰＦ処理部１６へ帯域管理テーブルの情報の広告配信を指示して（ステップＳ１１１）、ＯＳＰＦ処理部１６が、隣接する中間伝送装置Ａへ送信（広告）する。またＯＳＰＦ処理部１６は、帯域管理テーブルの情報の更新に基づいて、経路計算部１１にネットワークトポロジの変更を通知する（ステップＳ１１２）。
【００２１】
また、図３に示すように予備系伝送路の設定処理では、まず、始点伝送装置１のシグナリング処理部１０が伝送路設定処理であるシグナリングの開始要求を検出し（ステップＳ２０１）、終点伝送装置２までの予備系伝送路の経路計算依頼を経路計算部１１に行う（ステップＳ２０２）。そして経路計算部１１は経路計算結果をシグナリング処理部１０に送信する（ステップＳ２０３）。すると、シグナリング処理部１０の帯域仮予約処理部１２１は、予備系伝送路の経路計算結果に基づいて、予備系伝送路に使用するポートの情報を「空き」から「仮予約」へと変更登録し、さらに予備系伝送路を用いて前記予備系伝送路上の各中間伝送装置が通信を行うに必要なパス登録情報を登録するための情報更新依頼を帯域管理テーブル管理部１４に行い（ステップＳ２０４）、これにより、帯域管理テーブル管理部１４は帯域管理テーブルに、予備系伝送路に使用するポートに対応する情報として「仮予約」を登録する。また帯域管理テーブル管理部１５は帯域管理テーブルに対する情報更新をシグナリング処理部１０へ通知すると（ステップＳ２０５）、当該シグナリング処理部１０の予備系パスメッセージ生成部１２２がパスメッセージを生成し、予備系伝送路の各中間伝送装置Ｃ,Ｄや終点伝送装置２へ送信する（ステップＳ２０６）。なお、このメッセージには、予備系伝送路を用いて前記予備系伝送路上の各中間伝送装置が通信を行うに必要なパス登録情報が格納される。そして、始点伝送装置１のシグナリング処理部１０は、パスメッセージの送信の応答として終点伝送装置２が生成し、当該終点伝送装置２が運用系伝送路上の各中間伝送装置を介して送信したリザーブメッセージを受信する（ステップＳ２０７）。そして、シグナリング処理部１０は、これ以降の処理を中止し、帯域管理テーブルの更新を行わず終了する。
【００２２】
図４は運用系伝送経路上の中間伝送装置と終点伝送装置の処理フローを示す図である。
次に、図４を用いて、運用系伝送経路上の中間伝送装置と終点伝送装置の処理フローについて説明する。
中間伝送装置Ａは、始点伝送装置１よりパスメッセージを受信すると、当該パスメッセージの受信に基づいて、自装置の記憶する帯域管理テーブル内の、入力ポートと出力ポートの情報を「空き」から「予約」へと変更登録する（ステップ３０１）。そして、中間伝送装置Ａはパスメッセージを中間伝送装置Ｂへ送信する（ステップ３０２）。
また、中間伝送装置Ｂは、中間伝送装置Ａよりパスメッセージを受信すると、当該パスメッセージの受信に基づいて、自装置の記憶する帯域管理テーブル内の、入力ポートと出力ポートの情報を「空き」から「予約」へと変更登録する（ステップ３０３）。そして中間伝送装置Ｂは、パスメッセージを終点伝送装置２へ送信する（ステップ３０４）。
終点伝送装置２では、パスメッセージを受信すると、自装置の記憶する帯域管理テーブル内の、ＧＭＰＬＳネットワークと接続するポートの情報を「空き」から「予約」へと変更登録する（ステップ３０５）。また、終点伝送装置２は、自装置の記憶する帯域管理テーブル内の、ＧＭＰＬＳネットワークと接続するポートの情報を「予約」から「使用中」へと変更登録する（ステップ３０６）。そして終点伝送装置２はリザーブメッセージを生成して（ステップ３０７）、中間伝送装置Ｂへ送信する（ステップ３０８）。
次に、中間伝送装置Ｂは、リザーブメッセージを受信すると、自装置の記憶する帯域管理テーブル内の、入力ポートと出力ポートの情報を「予約」から「使用中」へと変更登録する（ステップ３０９）。そして、中間伝送装置Ｂはリザーブメッセージを中間伝送装置Ａへ送信する（ステップ３１０）。
次に、中間伝送装置Ａは、リザーブメッセージを受信すると、自装置の記憶する帯域管理テーブル内の、入力ポートと出力ポートの情報を「予約」から「使用中」へと変更登録する（ステップ３１１）。そして、中間伝送装置Ａはリザーブメッセージを始点伝送装置２へ送信する（ステップ３１２）。
【００２３】
図５は予備系伝送経路上の中間伝送装置と終点伝送装置の処理フローを示す図である。
次に、図５を用いて、予備伝送経路上の中間伝送装置と終点伝送装置の処理フローについて説明する。
中間伝送装置Ｃは、始点伝送装置１よりパスメッセージを受信すると、当該パスメッセージの受信に基づいて、自装置の記憶する帯域管理テーブル内の、入力ポートと出力ポートの情報を「空き」から「仮予約」へと変更登録する（ステップ４０１）。また中間伝送装置Ｃは、パスメッセージに格納されているパス登録情報を帯域管理テーブルへ登録する（ステップＳ４０２）。そして、中間伝送装置Ｃはパスメッセージを中間伝送装置Ｄへ送信する（ステップ４０３）。
また、中間伝送装置Ｄは、中間伝送装置Ｃよりパスメッセージを受信すると、当該パスメッセージの受信に基づいて、自装置の記憶する帯域管理テーブル内の、入力ポートと出力ポートの情報を「空き」から「仮予約」へと変更登録する（ステップ４０４）。また中間伝送装置Ｄは、パスメッセージに格納されているパス登録情報を帯域管理テーブルへ登録する（ステップＳ４０５）。そして中間伝送装置Ｄは、パスメッセージを終点伝送装置２へ送信する（ステップ４０６）。
終点伝送装置２では、パスメッセージを受信すると、自装置の記憶する帯域管理テーブル内の、ＧＭＰＬＳネットワークと接続するポートの情報を「空き」から「仮予約」へと変更登録する（ステップ４０７）。また終点伝送装置２は、パスメッセージに格納されているパス登録情報を帯域管理テーブルへ登録する（ステップＳ４０８）。そして終点伝送装置２はリザーブメッセージを生成して（ステップ４０９）、中間伝送装置Ｄへ送信する（ステップ４１０）。次に、中間伝送装置Ｄは、リザーブメッセージを受信すると、既に、入力ポートと出力ポートの情報を「空き」から「仮予約」へと変更登録しているため、そのリザーブメッセージを中間伝送装置Ｃへ送信する（ステップＳ４１１）。また、中間伝送装置Ｃも、リザーブメッセージを受信すると、既に、入力ポートと出力ポートの情報を「空き」から「仮予約」へと変更登録しているため、そのリザーブメッセージを始点伝送装置１へ送信する（ステップＳ４１２）。
【００２４】
上述の処理によれば、ステップＳ４０２、ステップＳ４０５、ステップＳ４０８の処理により中間伝送装置Ｃ,Ｄや終点伝送装置２は、予備系伝送路による通信を行うに必要なパス登録情報を予め記憶しており、運用系に障害が発生して、予備系の通信が行われる際にも、ただちにそのパス登録情報を用いて予備系伝送路による通信を行うことができる。これにより、障害が発生した運用系伝送路から、予備系伝送路への通信の切り替え時間を迅速に行うことができる通信システムを提供することができる。
【００２５】
なお、上述の各伝送装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２７】
１・・・始点伝送装置
２・・・終点伝送装置
１０・・・シグナリング処理部
１１・・・経路計算部
１２・・・予備系処理部
１３・・・運用系処理部
１４・・・帯域管理テーブル管理部
１５・・・広告処理部
１６・・・ＯＳＰＦ処理部
１２１・・・帯域仮予約処理部
１２２・・・予備系パスメッセージ生成部
１３１・・・帯域予約処理部
１３２・・・帯域確定処理部
１３３・・・運用系パスメッセージ生成
【図１】
2011015332.tif 000003
【図２】
2011015332.tif 000004
【図３】
2011015332.tif 000005
【図４】
2011015332.tif 000006
【図５】
2011015332.tif 000007